【事件の表示】
　特願２０１７−１２７９６２号「遊技機」拒絶査定不服審判事件〔平成３１年　１月２４日出願公開、特開２０１９−　１０２３６号〕について、次のとおり審決する。
【結　論】
　本件審判の請求は、成り立たない。
【理　由】
第１　手続の経緯
　本願は、平成２９年６月２９日の出願であって、平成３１年４月１２日付けの拒絶理由通知に対して、令和１年６月２１日に意見書が提出されるとともに手続補正がなされたところ、同年１１月１日付けで拒絶査定がなされ、これに対して、令和２年２月４日に拒絶査定不服審判の請求がされると同時に手続補正がなされたものである。
第２　令和２年２月４日付けの手続補正についての補正の却下の決定
［補正の却下の決定の結論］
　令和２年２月４日付けの手続補正（以下、「本件補正」という。）を却下する。
［理由］
１　補正の内容
　本件補正は、明細書及び特許請求の範囲を補正するものであって、特許請求の範囲の請求項１について、本件補正前の令和１年６月２１日付けの手続補正書において、
「【請求項１】
　図柄始動手段が遊技球を検出することに基づいて図柄を変動表示する図柄表示手段と、
　前記図柄表示手段による変動後の停止図柄が特定態様となった場合に特別利益状態を発生させる特別利益状態発生手段と、
　前記図柄の変動表示が行われていないことを含む非遊技条件を満たす場合に開始される非遊技期間中に遊技へののめり込みに関する注意喚起表示を実行可能な注意喚起表示制御手段とを備えた
　遊技機において、
　前記注意喚起表示を第１情報と第２情報とで構成し、
　前記注意喚起表示を実行する場合、前記第１情報と前記第２情報とを画面上の一纏まりの表示領域内に異なる表示態様で表示するように構成し、
　前記非遊技期間中に前記注意喚起表示を実行する場合には、前記図柄始動手段が遊技球を検出することにより前記注意喚起表示を中断又は中止する一方、
　前記特別利益状態の終了後に前記注意喚起表示を実行する場合には、前記図柄始動手段が遊技球を検出しても前記注意喚起表示を中断又は中止しない
　ことを特徴とする遊技機。」
とあったものを、
「【請求項１】
Ａ　図柄始動手段が遊技球を検出することに基づいて図柄を変動表示する図柄表示手段と、
Ｂ　前記図柄表示手段による変動後の停止図柄が特定態様となった場合に特別利益状態を発生させる特別利益状態発生手段と、
Ｃ　前記図柄の変動表示が行われていないことを含む非遊技条件を満たす場合に開始される非遊技期間中に遊技へののめり込みに関する注意喚起表示を実行可能な注意喚起表示制御手段とを備えた
Ｄ　遊技機において、
Ｅ　前記注意喚起表示を第１情報と第２情報とで構成し、
Ｆ　前記注意喚起表示を実行する場合、前記第１情報と前記第２情報とを画面上の一纏まりの表示領域内に
表示すると共に、前記第１情報を表示する第１表示領域内における文字情報以外の表示態様と、前記第２情報を表示する第２表示領域内における文字情報以外の表示態様とを異ならせ
Ｇ　前記非遊技期間中に前記注意喚起表示を実行する場合には、前記図柄始動手段が遊技球を検出することにより前記注意喚起表示を中断又は中止する一方、
Ｈ　前記特別利益状態の終了後に前記注意喚起表示を実行する場合には、前記図柄始動手段が遊技球を検出しても前記注意喚起表示を中断又は中止しない
Ｉ　ことを特徴とする遊技機。」
と補正することを含むものである（下線部は補正箇所を示す。記号Ａ〜Ｉは、分説するため当審で付した。）。
２　補正の適否
（１）補正の目的
　本件補正のうち特許請求の範囲の請求項１についてする補正は、補正前の請求項１に係る発明を特定するために必要な事項である「第１情報」及び「第２情報」から構成される「注意喚起表示」の表示態様に関して、「
前記第１情報を表示する第１表示領域内における文字情報以外の表示態様と、前記第２情報を表示する第２表示領域内における文字情報以外の表示態様とを異ならせ
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
（２）新規事項
　本件補正は、本願の願書に最初に添付した明細書、特許請求の範囲又は図面における【図２８】等の記載に基づくものであり、新たな技術事項を導入するものではないから、特許法第１７条の２第３項に規定する要件を満たす。
３　独立特許要件
　そこで、本件補正後の請求項１に係る発明（以下、「本願補正発明」という。）が特許出願の際に独立して特許を受けることができるものであるか、すなわち、特許法第１７条の２第６項において準用する同法第１２６条第７項の規定に適合するかについて、以下に検討する。
（１）引用文献１に記載された事項
　原査定の拒絶の理由に引用された、本願の出願前に公開された特開２０１７−８０３１９号公報（以下、「引用文献１」という。）には、以下の事項が記載されている（下線は当審で付した。）。
ア　「【０００９】
　以下、図面を参照して実施の形態を詳細に説明する。
　［第１の実施形態］
　まず、第１の実施形態を図面にもとづいて説明する。図１は、第１の実施形態の遊技機の一例を示す斜視図である。
【００１０】
　第１の実施形態の
遊技機１０
イ　「【００６０】
　次に、演出制御装置３００の構成について図４を用いて説明する。図４は、第１の実施形態の演出制御装置の構成の一例を示すブロック図である。
演出制御装置３００は、
主制御用マイコン（ＣＰＵ）３１１と、主制御用マイコン３１１からのコマンドやデータにしたがって表示装置４１への映像表示のための画像処理をおこなうグラフィックプロセッサとしてのＶＤＰ
３１２
を備えている
ウ　「【００７４】
　そして、遊技制御装置１００のＣＰＵ１１１Ａは、上記の第１特図変動表示ゲームや第２特図変動表示ゲームの判定結果を含む制御信号（演出制御コマンド）を、演出制御装置３００に出力する。そして、
特図１図柄表示部５３や特図２図柄表示部５４に、識別図柄
を所定時間変動表示した後、停止表示する特図変動表示ゲームを表示する
遊技領域３２を流下する遊技球の始動入賞領域（始動入賞口３６、普通変動入賞装置３７）への入賞にもとづき変動表示ゲームの進行制御をおこなう
・・・・・
【００７６】
　そして、
遊技制御装置１００のＣＰＵ１１１Ａは、特図変動表示ゲームの結果が大当り
の場合は、特図１図柄表示部５３や特図２図柄表示部５４に特別結果態様
を表示するとともに、特別遊技状態
を発生させる処理
をおこなう
エ　「【０１１４】
　〔タイマ割込み処理〕
　次に、上述のメイン処理におけるタイマ割込み処理について説明する。図１０は、第１の実施形態のタイマ割込み処理のフローチャートを示す図である。このタイマ割込み処理は、上述のメイン処理において、割込み許可が出てから割込みが禁止されるまでの間（ステップＳ３４からＳ３９）に生じる割込み処理である。タイマ割込み処理は、
ＣＰＵ１１１Ａ
・・・・・
【０１９０】
　〔特図ゲーム処理〕
　次に、上述のタイマ割込み処理における特図ゲーム処理（ステップＳ１２９）の詳細について図２２を用いて説明する。図２２は、第１の実施形態の特図ゲーム処理のフローチャートを示す図である。
・・・・・
【０１９４】
　ステップＡ７にて、特図ゲーム処理番号が「０」の場合は、
特図変動表示ゲームの変動開始を監視し、特図変動表示ゲームの変動開始の設定や演出の設定や、特図変動中処理をおこなうために必要な情報の設定等をおこなう特図普段処理
・・・・・
【０２５４】
　〔特図普段処理〕
　次に、上述の特図ゲーム処理における特図普段処理（ステップＡ８）の詳細について図２８を用いて説明する。図２８は、第１の実施形態の特図普段処理のフローチャートを示す図である。
【０２５５】
　
特図普段処理では、
特図２保留数が「０」である
と判定すると
特図１保留数が「０」である
と判定すると
客待ちデモが開始済みでない場合
は、
客待ちデモ中フラグをセットする
【０２５６】
　続けて、
客待ちデモコマンドを準備して
、演出コマンド設定処理
をおこない
オ　「【０６１７】
　次に、エンディング種別について図１０３から図１０８を用いて説明する。図１０３は、第１の実施形態のエンディング種別ごとの表示態様の一例を示す図である。
　まず、「エンディング１」について説明する。「エンディング１」は、当りの終了後に確率変動がある遊技状態となる当りのうち、当りが連続したときに１回目となる当りのとき、当該当りの終了時に選択されるエンディングである。たとえば、
「エンディング１」は、確率変動および普電サポートがない遊技状態で発生した当りが大当り１または大当り２のときに、当該当りの終了時に選択される
・・・・・
【０６２４】
　
「エンディング１」は、
注意喚起Ｂ表示をおこなう
注意喚起Ｂ表示は、
遊技へののめり込みに対する注意を喚起する表示である
カ　「【図１０３】
」
キ　「【０８０４】
・・・・・
　［第３の実施形態］
　次に、第３の実施形態について説明する。
第３の実施形態は、オプション設定部２５の操作にもとづいて注意喚起表示をおこなう点で、第１の実施形態および第２の実施形態と相違する。
・・・・・
【０８１６】
　
（２）に示す表示画面７２０ａは、客待ち画面からオプション設定画面に切り替わる際に挿入される。
・・・・・
【０８１９】
　
（５）に示す表示画面７２０ｄは、オプション設定画面から客待ち画面に切り替わる際に挿入される。
・・・・・
【０８２２】 　
なお、遊技機１０は、オプション設定中に始動入賞があった場合、表示装置４１における表示で変動表示ゲームを優先し、オプション設定を中止する
・・・・・
【０８２６】
　［第３の実施形態の変形例１］
　次に、第３の実施形態の変形例１について説明する。第３の実施形態の変形例１は、オプション設定画面において注意喚起表示をおこなう点で第３の実施形態と相違する。オプション設定画面中の注意喚起表示について図１３１を用いて説明する。図１３１は、第３の実施形態の変形例１の表示装置におけるオプション設定時に注意喚起表示のある表示画面の一例を示す図である。
【０８２７】
　
（１）に示す表示画面７２０ｆは、オプション設定画面の１つである。表示画面７２０ｆは、オプション設定表示７２４ｆと、音量設定表示７２５ｆと、明るさ設定表示７２６ｆと、注意喚起表示７２３ｆと、戻る表示７２７と、設定操作案内表示７２２を含む。
ク　「【図１３１】（１）
」
ケ　「【０８９２】
・・・・・
　［第４の実施形態］
　第４の実施形態は、ＲＴＣ３３８を用いて注意喚起をおこなう。
遊技機１０
・・・・・
【０９０６】
　次に、注意喚起態様のいくつかについて図１４３を用いて説明する。図１４３は、第４の実施形態の注意喚起態様の一例を示す図である。
　（１）に示す
表示画面７６０は、
注意喚起表示画面（注意喚起態様）の１つである
表示画面７６０は、メッセージ表示７６１としてメッセージ「のめり込みに注意！適度に遊びましょう」を表示し
コ　「【図１４３】（１）
」
サ　上記記載事項カによれば、引用文献１の【図１０３】には、「
エンディング１において、タイミングＴ１０からタイミングＴ１３まで確変明示モード突入表示がなされ、タイミングＴ１３からタイミングＴ１４まで企業ロゴ表示がなされ、タイミングＴ１４からタイミングＴ１５まで注意喚起Ａ表示がなされ、タイミングＴ１５からタイミングＴ１６まで注意喚起Ｂ表示がなされ、タイミングＴ１６からタイミングＴ１７まで確変明示モード表示がなされ、タイミングＴ１７から「図柄変動開始」がなされる
シ　上記記載事項キによれば、引用文献１の【０８１６】には、「（２）に示す表示画面７２０ａは、客待ち画面からオプション設定画面に切り替わる際に挿入される。」と記載され、同【０８１９】には、「（５）に示す表示画面７２０ｄは、オプション設定画面から客待ち画面に切り替わる際に挿入される。」と記載され、同【０８２７】には、「（１）に示す表示画面７２０ｆは、オプション設定画面の１つである。表示画面７２０ｆは、オプション設定表示７２４ｆと、音量設定表示７２５ｆと、明るさ設定表示７２６ｆと、注意喚起表示７２３ｆと、戻る表示７２７と、設定操作案内表示７２２を含む。」と記載されている。
　また、上記記載事項クによれば、引用文献１の【図１３１】（１）には、表示画面７２０ｆに、注意喚起表示７２３ｆとして「のめり込みに注意しましょう」と表示されることが示されている。
　さらに、上記記載事項キによれば、引用文献１の【０８２２】には、「なお、遊技機１０は、オプション設定中に始動入賞があった場合、表示装置４１における表示で変動表示ゲームを優先し、オプション設定を中止する。」と記載されているから、「オプション設定画面の１つである」「表示画面７２０ｆ」が表示装置４１に表示されるものであることは明らかである。
　そうすると、引用文献１には、「
表示装置４１に表示され、客待ち画面から切り替わるとともに客待ち画面に切り替わるオプション設定画面の１つである表示画面７２０ｆには、「のめり込みに注意しましょう」と表示される注意喚起表示７２３ｆが含まれる
ス　上記記載事項コによると、引用文献１の【図１４３】（１）には、「
表示画面７６０には、「のめり込みに注意！」という文字と「適度に遊びましょう」という文字が同じ枠内に表示される
　上記ア〜コの記載事項及び上記認定事項シを総合すると、引用文献１には、次の発明（以下、「引用発明」という。）が記載されていると認められる（記号ａ〜ｉは、本願補正発明の構成Ａ〜Ｉに対応させて付した。ただし、引用発明は、本願補正発明の構成Ｅ、Ｆ、Ｈに対応する構成を有しないため、記号ｅ、ｆ、ｈは使用していない。また、括弧内に引用文献１における引用箇所を示した。）。
　なお、引用文献１の【０８０４】には、「第３の実施形態は、オプション設定部２５の操作にもとづいて注意喚起表示をおこなう点で、第１の実施形態および第２の実施形態と相違する。」と記載されているから、注意喚起表示を行う点を除いて第１の実施形態についての記載を援用する形で、第３の実施形態の構成として引用発明の認定を行った。
「ａ　遊技領域３２を流下する遊技球の始動入賞領域（始動入賞口３６、普通変動入賞装置３７）への入賞にもとづき進行制御がおこなわれ、識別図柄を所定時間変動表示した後、停止表示する特図変動表示ゲームが表示される特図１図柄表示部５３や特図２図柄表示部５４と（【００７４】）、
ｂ　特図変動表示ゲームの結果が大当りの場合は、特図１図柄表示部５３や特図２図柄表示部５４に特別結果態様を表示するとともに、特別遊技状態を発生させる処理をおこなう遊技制御装置１００のＣＰＵ１１１Ａと（【００７６】）、
ｃ　主制御用マイコン（ＣＰＵ）３１１と、主制御用マイコン３１１からのコマンドやデータにしたがって表示装置４１への映像表示のための画像処理をおこなうグラフィックプロセッサとしてのＶＤＰ３１２を備えている演出制御装置３００とを備え（【００６０】）、
　前記ＣＰＵ１１１Ａは、特図変動表示ゲームの変動開始を監視し、特図変動表示ゲームの変動開始の設定や演出の設定や、特図変動中処理をおこなうために必要な情報の設定等をおこなう特図普段処理では、特図２保留数が「０」であると判定し、特図１保留数が「０」であると判定し、客待ちデモが開始済みでない場合は、客待ちデモ中フラグをセットし、客待ちデモコマンドを準備して、演出コマンド設定処理をおこない（【０１１４】、【０１９４】、【０２５５】、【０２５６】）、
　表示装置４１に表示され、客待ち画面から切り替わるとともに客待ち画面に切り替わるオプション設定画面の１つである表示画面７２０ｆには、「のめり込みに注意しましょう」と表示される注意喚起表示７２３ｆが含まれる（認定事項シ）、
ｄ　遊技機１０において（【００１０】）、
ｇ　オプション設定中に始動入賞があった場合、表示装置４１における表示で変動表示ゲームを優先し、オプション設定を中止する（【０８２２】）、
ｉ　遊技機１０（【００１０】）。」
　また、上記記載事項ケ〜コ及び上記認定事項スによれば、引用文献１には、第４の実施形態として、次の技術的事項（以下、「引用文献１に記載された技術的事項１」という。）が記載されていると認められる（記号ｅｆ、ｉは、本願補正発明の構成Ｅ及びＦ、Ｉに対応させて付した。また、括弧内に引用文献１における引用箇所を示した。）。
「ｅｆ　注意喚起表示画面（注意喚起態様）の１つである表示画面７６０は、メッセージ表示７６１としてメッセージ「のめり込みに注意！適度に遊びましょう」を表示し（【０９０６】）、表示画面７６０には、「のめり込みに注意！」という文字と「適度に遊びましょう」という文字が同じ枠内に表示される（認定事項ス）、
ｉ　遊技機１０（【０８９２】）。」
　さらに、上記記載事項ア〜カ及び上記認定事項サを総合すると、引用文献１には、第１の実施形態として、次の技術的事項（以下、「引用文献１に記載された技術的事項２」という。）が記載されていると認められる（記号ｈ、ｉは、本願補正発明の構成Ｈ、Ｉに対応させて付した。また、括弧内に引用文献１における引用箇所を示した。）。
「ｈ　確率変動および普電サポートがない遊技状態で発生した当りが大当り１または大当り２のときに、当該当りの終了時に選択される「エンディング１」は、遊技へののめり込みに対する注意を喚起する表示である注意喚起Ｂ表示をおこない（【０６１７】、【０６２４】）、エンディング１において、タイミングＴ１０からタイミングＴ１３まで確変明示モード突入表示がなされ、タイミングＴ１３からタイミングＴ１４まで企業ロゴ表示がなされ、タイミングＴ１４からタイミングＴ１５まで注意喚起Ａ表示がなされ、タイミングＴ１５からタイミングＴ１６まで注意喚起Ｂ表示がなされ、タイミングＴ１６からタイミングＴ１７まで確変明示モード表示がなされ、タイミングＴ１７から「図柄変動開始」がなされる（認定事項サ）、
ｉ　遊技機１０（【００１０】）。」
（２）対比
　本願補正発明と引用発明とを対比する（対比にあたっては、本願補正発明の構成Ａ〜Ｉについて、それぞれ（ａ）〜（ｉ）の見出しを付けて行った。なお、引用発明は、本願補正発明の構成Ｅ、Ｆ、Ｈに対応する構成を有しないため、（ｅ）、（ｆ）、（ｈ）の見出しは使用していない。）。
（ａ）引用発明の「遊技領域３２を流下する遊技球の始動入賞領域（始動入賞口３６、普通変動入賞装置３７）への入賞にもとづき」は、入賞の際に遊技球が検出されることは自明であるから、本願補正発明の「図柄始動手段が遊技球を検出することに基づいて」に相当する。
　また、引用発明の「識別図柄を所定時間変動表示」することは、本願補正発明の「図柄を変動表示する」ことに相当する。
　してみると、引用発明の「特図１図柄表示部５３や特図２図柄表示部５４」は、本願補正発明の「図柄表示手段」に相当するから、引用発明の構成ａは、本願補正発明の構成Ａに相当する。
（ｂ）引用発明の「特図変動表示ゲームの結果が大当りの場合」に「特図１図柄表示部５３や特図２図柄表示部５４に特別結果態様を表示する」ことは、引用発明の「特図変動表示ゲーム」が「識別図柄を所定時間変動表示した後、停止表示する」ものであることから（構成ａ）、本願補正発明の「前記図柄表示手段による変動後の停止図柄が特定態様となった」ことに相当する。
　また、引用発明の「特別遊技状態を発生させる処理をおこなう」ことは、本願補正発明の「特別利益状態を発生させる」ことに相当する。
　してみると、引用発明の「遊技制御装置１００のＣＰＵ１１１Ａ」は、本願補正発明の「特別利益状態発生手段」に相当するから、引用発明の構成ｂは、本願補正発明の構成Ｂに相当する。
（ｃ）引用発明の「特図普段処理」は、「特図変動表示ゲームの変動開始を監視し、特図変動表示ゲームの変動開始の設定や演出の設定や、特図変動中処理をおこなうために必要な情報の設定等をおこなう」ものであるから、特図変動表示ゲームの変動開始前に実行されるものといえる。そうすると、引用発明の「特図普段処理」において「特図２保留数が「０」であると判定し、特図１保留数が「０」であると判定し、客待ちデモが開始済みでない場合」は、本願補正発明の「前記図柄の変動表示が行われていないことを含む非遊技条件を満たす場合」に相当する。
　また、引用発明の「客待ちデモ中フラグをセットし、客待ちデモコマンドを準備して、演出コマンド設定処理をおこな」うことは、本願補正発明の「非遊技期間」を「開始」することに相当する。このことから、引用発明の「客待ちデモフラグ」がセットされている期間は、本願補正発明の「非遊技期間」に相当するといえる。
　さらに、引用発明において、「客待ち画面」が「客待ちデモ中フラグ」がセットされている期間に表示されることは自明であるところ、引用発明の「オプション設定画面」は、「客待ち画面から切り替わるとともに客待ち画面に切り替わる」ものであるから、「非遊技期間中」に表示されるものであるといえる。そうすると、引用発明の「オプション設定画面の１つである表示画面７２０ｆには、「のめり込みに注意しましょう」と表示される注意喚起表示７２３ｆが含まれる」ことは、本願補正発明の「非遊技期間中に遊技へののめり込みに関する注意喚起表示を実行可能」であることに相当する。
　そして、引用発明は、「主制御用マイコン（ＣＰＵ）３１１と、主制御用マイコン３１１からのコマンドやデータにしたがって表示装置４１への映像表示のための画像処理をおこなうグラフィックプロセッサとしてのＶＤＰ３１２を備えている演出制御装置３００とを備え」るものであって、「オプション設定画面の１つである表示画面７２０ｆ」の表示制御が「演出制御装置３００」における「主制御用マイコン（ＣＰＵ）３１１」及び「ＶＤＰ３１２」により実行されることは明らかであるから、引用発明の「演出制御装置３００」における「主制御用マイコン（ＣＰＵ）３１１」及び「ＶＤＰ３１２」は、本願補正発明の「注意喚起表示制御手段」に相当する。
　してみると、引用発明の構成ｃは、本願補正発明の構成Ｃに相当する。
（ｄ）引用発明の「遊技機１０」は、本願補正発明の「遊技機」に相当するから、引用発明の構成ｄは、本願補正発明の構成Ｄに相当する。
（ｇ）上記（ｃ）で検討したとおり、引用発明の「オプション設定画面の１つである表示画面７２０ｆには、「のめり込みに注意しましょう」と表示される注意喚起表示７２３ｆが含まれる」（構成ｃ）ことは、本願補正発明の「非遊技期間中に遊技へののめり込みに関する注意喚起表示を実行可能」であることに相当するところ、引用発明の「オプション設定中」は、「オプション設定画面の１つである表示画面７２０ｆに」「「のめり込みに注意しましょう」と表示される」場合も含むから、本願補正発明の「前記非遊技期間中に前記注意喚起表示を実行する場合」に相当する。
　また、引用発明の「始動入賞があった場合、表示装置４１における表示で変動表示ゲームを優先し、オプション設定を中止する」ことは、「表示装置４１における表示で変動表示ゲームを優先し、オプション設定が中止」されることにより、「オプション設定画面の１つである表示画面７２０ｆ」における「のめり込みに注意しましょう」との表示も中止されることになるから、本願補正発明の「前記図柄始動手段が遊技球を検出することにより前記注意喚起表示を中断又は中止する」ことに相当する。
　してみると、引用発明の構成ｇは、本願補正発明の構成Ｇに相当する。
（ｉ）引用発明の「遊技機１０」は、本願補正発明の「遊技機」に相当するから、引用発明の構成ｉは、本願補正発明の構成Ｉに相当する。
　上記（ａ）〜（ｉ）の検討により、本願補正発明と引用発明とは、
（一致点）
「Ａ　図柄始動手段が遊技球を検出することに基づいて図柄を変動表示する図柄表示手段と、
Ｂ　前記図柄表示手段による変動後の停止図柄が特定態様となった場合に特別利益状態を発生させる特別利益状態発生手段と、
Ｃ　前記図柄の変動表示が行われていないことを含む非遊技条件を満たす場合に開始される非遊技期間中に遊技へののめり込みに関する注意喚起表示を実行可能な注意喚起表示制御手段とを備えた
Ｄ　遊技機において、
Ｇ　前記非遊技期間中に前記注意喚起表示を実行する場合には、前記図柄始動手段が遊技球を検出することにより前記注意喚起表示を中断又は中止する、
Ｉ　遊技機。」
である点で一致し、構成Ｅ、Ｆ、Ｈに関する以下の点で相違している。
（相違点１）
　「前記注意喚起表示」について、本願補正発明では、「第１情報と第２情報とで構成し」（構成Ｅ）、「前記注意喚起表示を実行する場合、前記第１情報と前記第２情報とを画面上の一纏まりの表示領域内に表示すると共に、前記第１情報を表示する第１表示領域内における文字情報以外の表示態様と、前記第２情報を表示する第２表示領域内における文字情報以外の表示態様とを異ならせ」ている（構成Ｆ）のに対して、引用発明では、遊技へののめり込みに関する注意喚起表示７２３ｆとして、「のめり込みに注意しましょう」と表示されるのみである点。
（相違点２）
　本願補正発明では、「前記特別利益状態の終了後に前記注意喚起表示を実行する場合には、前記図柄始動手段が遊技球を検出しても前記注意喚起表示を中断又は中止しない」（構成Ｈ）のに対して、引用発明では、そのような構成を有しない点。
（３）判断
ア　相違点１の判断について
　本願補正発明と引用文献１に記載された技術的事項１とを対比すると、引用文献１に記載された技術的事項１の「「のめり込みに注意！」という文字」及び「「適度に遊びましょう」という文字」は、本願補正発明の「第１情報」及び「第２情報」に相当する。そして、引用文献１に記載された技術的事項１の「表示画面７６０には、「のめり込みに注意！」という文字と「適度に遊びましょう」という文字が同じ枠内に表示される」ことは、本願補正発明の「前記第１情報と前記第２情報とを画面上の一纏まりの表示領域内に表示する」ことに相当する。
　そうすると、引用文献１に記載された技術的事項１は、「遊技ののめり込みに関する注意喚起表示を第１情報と第２情報とで構成し、前記注意喚起表示を実行する場合、前記第１情報と前記第２情報とを画面上の一纏まりの表示領域内に表示する」構成を有するものといえる。
　そして、引用発明において、遊技ののめり込みに関する注意喚起表示を、具体的にどのような表示内容、表示形態で表示するかは、当業者が適宜決定できる事項にすぎないものである。
　また、表示技術一般において、文字を含む複数の異なる情報を表示する場合に、各々の情報の内容に応じて、文字情報及び／又は文字情報以外の情報を、見やすく分かりやすくなるように異なる表示態様とすることは、例示するまでもなく本願出願前に周知慣用の技術である。
　そうすると、引用発明に対して、上記の引用文献１に記載された技術的事項１の構成を適用して、遊技ののめり込みに関する注意喚起表示を、「のめり込みに注意しましょう」という文字に代えて、第１情報（「「のめり込みに注意！」という文字」）と第２情報（「適度に遊びましょう」という文字」）とで構成し、前記注意喚起表示を実行する場合、前記第１情報と前記第２情報とを画面上の一纏まりの表示領域内（同じ枠内）に表示するとともに、当該第１情報及び第２情報の表示に対して上記の周知慣用技術を付加して、前記第１情報を表示する第１表示領域内と、前記第２情報を表示する第２表示領域内とで、それぞれの文字情報に合わせた異なる表示態様の文字情報以外の表示を行うことにより、相違点１に係る本願補正発明の構成とすることは、当業者が容易に想到できたことである。
イ　相違点２の判断について
　本願補正発明と引用文献１に記載された技術的事項２とを対比すると、引用文献１に記載された技術的事項２の「確率変動および普電サポートがない遊技状態で発生した当りが大当り１または大当り２のときに、当該当りの終了時に選択される「エンディング１」」において「遊技へののめり込みに対する注意を喚起する表示である注意喚起Ｂ表示をおこな」う場合は、本願補正発明の「前記特別利益状態の終了後に前記注意喚起表示を実行する場合」に相当する。
　そして、引用文献１に記載された技術的事項２は、「エンディング１において、タイミングＴ１０からタイミングＴ１３まで確変明示モード突入表示がなされ、タイミングＴ１３からタイミングＴ１４まで企業ロゴ表示がなされ、タイミングＴ１４からタイミングＴ１５まで注意喚起Ａ表示がなされ、タイミングＴ１５からタイミングＴ１６まで注意喚起Ｂ表示がなされ、タイミングＴ１６からタイミングＴ１７まで確変明示モード表示がなされ、タイミングＴ１７から「図柄変動開始」がなされる」ものであって、エンディング１の演出が終了するタイミングＴ１７から「図柄変動開始」がなされるものであるから、エンディング１の演出中から、図柄変動開始の権利が存在する（特図１保留数又は特図２保留数が「０」ではない）ことを前提として、そのような場合であっても、タイミングＴ１７までエンディング１の演出の各表示を所定時間おこなってから、その後に図柄変動開始するものであるといえる。
　そうすると、引用文献１に記載された技術的事項２は、エンディング１において、タイミングＴ１５からタイミングＴ１６まで注意喚起Ｂ表示（遊技へののめり込みに関する注意喚起表示）がなされている場合に、始動入賞領域に入賞（図柄始動手段が遊技球を検出）して、図柄変動開始の権利が発生したとしても、タイミングＴ１７までは注意喚起Ｂ表示を含むエンディング１の演出実行を中止することはないものと認められる。
　してみると、引用文献１に記載された技術的事項２は、「特別利益状態の終了後に注意喚起表示を実行する場合には、図柄始動手段が遊技球を検出しても前記注意喚起表示を中断又は中止しない」構成を有するものといえる。
　そして、引用発明は、非遊技期間中（オプション設定画面の表示中）に遊技へののめり込みに関する注意喚起表示を実行可能なものであるところ、遊技者の遊技へののめり込みを防止するためには、それ以外のタイミングにも注意喚起表示がなされることが有効であることは明らかであるから、引用発明に対して、上記の引用文献１に記載された技術的事項２の構成を適用して、特別利益状態の終了後にも注意喚起表示を実行し、その場合に、図柄始動手段が遊技球を検出しても前記注意喚起表示を中断又は中止しないように構成して、相違点２に係る本願補正発明の構成とすることは、当業者が容易に想到できたことである。
ウ　本願補正発明の作用効果について
　本願補正発明の作用効果は、引用発明、引用文献１に記載された各技術的事項及び周知慣用技術から当業者が予測できる範囲のものであり、格別顕著なものとはいえない。
エ　請求人の主張について
　請求人は、審判請求書において、「これによって本願発明では、遊技者の目によって、文字情報等よりなる注意喚起表示における第１情報と第２情報との間に何らかの関連性があることが瞬時に読み取ることができ、しかもそれら２種類の情報が文字情報以外の表示態様の違いによって明確に区分けされ、視覚的に整理された状態で取り込まれることとなり、遊技者の脳内でそれらの情報を理解するのに要する時間が大幅に短縮されるため、表示時間が短くても注意喚起表示の本来の目的を達成することが可能であるという格別の効果を奏するものです。」（３頁１８〜２４行）と主張している。
　しかしながら、請求人の主張する効果は、いずれも引用文献１に記載された技術的事項１又は上記周知慣用技術においても奏されるものであって、当業者が予測できる範囲のものであるし、そもそも本願発明では、第１情報及び第２情報の表示態様について、「前記第１情報を表示する第１表示領域内における文字情報以外の表示態様と、前記第２情報を表示する第２表示領域内における文字情報以外の表示態様とを異ならせ」と特定されているのみであり、どのように異ならせるかは特定されていないから、必ず請求人の主張するような効果を奏し得るとはいえない。よって、請求人の上記主張は採用できない。
（４）まとめ
　したがって、本願補正発明は、引用発明、引用文献１に記載された各技術的事項及び周知慣用技術に基づいて当業者が容易に発明をすることができたものであるから、特許法第２９条第２項の規定により、特許出願の際に独立して特許を受けることができないものである。
４　むすび
　以上のとおり、本願補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
第３　本願発明について
１　本願発明
　本件補正は、上記のとおり却下されることとなったので、本願の請求項１に係る発明（以下、「本願発明」という。）は、令和１年６月２１日付けの手続補正書により補正された特許請求の範囲の請求項１に記載された事項により特定されるとおりの、上記「第２［理由］１　補正の内容」に本件補正前の請求項１として記載したとおりのものである。
２　原査定の拒絶の理由
　原査定の拒絶の理由は、次のとおりのものである。
　１．（新規性）この出願の請求項１に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
　２．（進歩性）この出願の請求項１に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　１．特開２０１７−８０３１９号公報
３　引用文献に記載された事項
　原査定の拒絶の理由に引用された引用文献１の記載事項及び引用発明の認定については、上記「第２［理由］３（１）引用文献１に記載された事項」に記載したとおりである。
４　対比・判断
　本願発明は、上記「第２［理由］」で検討した本願補正発明から、構成要件である「第１情報」及び「第２情報」から構成される「注意喚起表示」の表示態様に関して、「前記第１情報を表示する第１表示領域内における文字情報以外の表示態様と、前記第２情報を表示する第２表示領域内における文字情報以外の表示態様とを異ならせ」との限定を削除したものである。
　そうすると、本願発明の特定事項をすべて含み、さらに他の事項を付加したものに相当する本願補正発明が、上記「第２［理由］３（２）対比、（３）判断」に記載したとおり、引用発明、引用文献１に記載された各技術的事項及び周知慣用技術に基いて、当業者が容易に発明をすることができたものであるから、本願発明も、同様の理由により、引用発明、引用文献１に記載された各技術的事項及び周知慣用技術に基いて、当業者が容易に発明をすることができたものである。
第４　むすび
　以上のとおり、本願発明は、特許法第２９条第２項の規定により特許を受けることができないものであるから、本願は拒絶されるべきものである。
　よって、結論のとおり審決する。